(57)【要約】【課題】適正観察距離をユーザーに認識させる立体映像撮像装置および立体映像再生装置を提供する。【解決手段】立体映像を構成する左目用映像信号と右目用映像信号を撮像して生成し、ＯＳＤ信号を生成して映像信号のそれぞれに所定時間合成するにあたり、表示画面サイズ情報とＯＳＤ表示位置情報と撮像画角情報と眼間距離情報によって、撮像開始毎にＯＳＤを表示する表示画面上の位置を設定する。【選択図】図１
2012257150.tif 000002
【特許請求の範囲】
【請求項１】
立体映像を構成する左目用映像信号と右目用映像信号を生成する複数の撮像部と、
前記複数の撮像部の撮像画角を制御する撮像画角制御部と、
前記左目用映像信号と前記右目用映像信号それぞれに合成するためのＯＳＤ信号を生成するＯＳＤ生成部と、
前記撮像部から出力される前記左目用映像信号と前記右目用映像信号それぞれに前記ＯＳＤ信号を所定時間合成するＯＳＤ合成部と、
前記ＯＳＤ合成部から出力された、前記ＯＳＤ信号が合成された左目用映像信号と右目用映像信号を合成し、立体映像データとして出力する信号処理部と、
表示画面サイズ情報とＯＳＤ表示距離情報と眼間距離情報を記憶する情報記憶部と、
撮像開始毎の撮像画角情報と、前記表示画面サイズ情報と、前記ＯＳＤ表示距離情報と前記眼間距離情報とに基づいて、前記ＯＳＤ合成部にて合成される前記ＯＳＤ信号に従って表示されるＯＳＤの、前記左目用映像信号と前記右目用映像信号に従って表示される左目用映像上および右目用映像上のそれぞれの位置を設定するＯＳＤ視差設定部とを備え、
前記ＯＳＤ合成部は前記ＯＳＤ視差設定部で設定された位置に前記ＯＳＤを合成するように前記左目用映像信号及び前記右目様映像信号のそれぞれに前記ＯＳＤ信号を合成することを特徴とする立体映像撮像装置。
【請求項２】
前記撮像部が生成する前記左目用映像信号と前記右目用映像信号を、それぞれ所定時間格納しながら順次出力する映像記憶部と、
前記ＯＳＤ合成部が前記ＯＳＤの合成を行なうタイミングを設定するタイミング設定部とを更に備え、
前記ＯＳＤ合成部は、前記映像記憶部から出力される前記左目用映像信号と前記右目用映像信号それぞれに前記ＯＳＤ信号を所定時間合成し、
前記ＯＳＤ視差設定部は、撮像開始毎に撮像画角が互いに異なる２つの連続した映像の内、時間的に後となる映像の撮像画角情報と、前記表示画面サイズ情報と、前記ＯＳＤ表示距離情報と前記眼間距離情報に基づいて、前記ＯＳＤの位置を設定する
ことを特徴とする請求項１記載の立体映像撮像装置。
【請求項３】
前記ＯＳＤ視差設定部は、
観察視野角度が前記撮像画角と同じ角度となる観察距離で観察したときに、立体映像として知覚するＯＳＤの見かけ上の位置の観察者の目からの距離が前記ＯＳＤ表示距離情報に関連した距離となるように前記ＯＳＤの位置を設定することを特徴とする
請求項２記載の立体映像撮像装置。
【請求項４】
前記情報記憶部は撮像開始毎にその直前の撮像時の撮像画角情報を記憶し、
前記ＯＳＤ生成部は、２つの連続した映像の撮像画角を比較し、画角差が所定の値に対して大きい場合にＯＳＤを生成することを特徴とする
請求項１から３のいずれか１項に記載の立体映像撮像装置。
【請求項５】
前記ＯＳＤ生成部は、撮像画角が互いに異なる２つの連続した映像の撮像画角を比較し、時間的に前となる映像の撮像画角が大きい場合と時間的に後となる映像の撮像画角が大きい場合とで生成するＯＳＤを切換えることを特徴とする、
請求項４記載の立体映像撮像装置。   
【請求項６】
前記タイミング設定部は、
前記立体映像撮像装置の録画開始操作を基準としてＯＳＤの合成タイミングを設定することを特徴とする。
請求項１から５のいずれか１項に記載の立体映像撮像装置。
【請求項７】
前記タイミング設定部は前記ＯＳＤの合成タイミングを、撮像画角が互いに異なる２つの連続した映像の切替わり時に対し、所定の第１の時間前から所定の第２の時間経過後までと設定し、前記所定の第１の時間および前記所定の第２の時間はそれぞれ０以上であって、前記所定の第１の時間と前記所定の第２の時間の合計は０ではないことを特徴とする
請求項１から６のいずれか１項に記載の立体映像撮像装置。
【請求項８】
前記ＯＳＤ生成部は前記表示画面サイズ情報と前記ＯＳＤ表示距離情報の内、少なくとも一方に関連する情報を表わすＯＳＤを生成することを特徴とする、
請求項１から７のいずれか１項に記載の立体映像撮像装置。
【請求項９】
前記表示画面サイズ情報と前記ＯＳＤ表示距離情報を入力する操作部を更に備えることを特徴とする
請求項１から８のいずれか１項に記載の立体映像撮像装置。
【請求項１０】
左目用映像信号と右目用映像信号から構成され、少なくとも撮像画角情報を属性データとして合成した立体映像信号を入力する信号入力部と、
前記信号入力部に入力された前記立体映像信号の前記属性データを解析する属性データ解析部と、
前記左目用映像信号と前記右目用映像信号それぞれに合成するためのＯＳＤ信号を生成するＯＳＤ生成部と、
前記左目用映像信号と前記右目用映像信号それぞれに前記ＯＳＤ信号を所定時間合成するＯＳＤ合成部と、
前記ＯＳＤ合成部から出力された、前記ＯＳＤ信号が合成された左目用映像信号と右目用映像信号を合成し、立体映像データとして出力する信号処理部と、
前記属性データ解析部が出力する前記撮像画角情報と、表示画面サイズ情報とＯＳＤ表示距離情報と眼間距離情報を記憶する情報記憶部と、
前記撮像画角情報と、前記表示画面サイズ情報と、前記ＯＳＤ表示距離情報と前記眼間距離情報とに基づいて、前記ＯＳＤ合成部にて合成される前記ＯＳＤ信号に従って表示されるＯＳＤの、前記左目用映像信号と前記右目用映像信号に従って表示される左目用映像上および右目用映像上のそれぞれの位置を設定する設定するＯＳＤ視差設定部を備え、
前記ＯＳＤ合成部は前記ＯＳＤ視差設定部で設定された位置に前記ＯＳＤを合成するように前記左目用映像信号及び前記右目様映像信号のそれぞれに前記ＯＳＤ信号を合成することを特徴とする立体映像再生装置。
【発明の詳細な説明】
【技術分野】
【０００１】
本発明は、観察者に適正観察距離を知覚させるためのＯＳＤの生成を行う立体映像撮像装置および立体映像再生装置に関する。
【背景技術】
【０００２】
視差を生じる左目用映像と右目用映像によって観察者に対し立体映像を知覚させる立体映像表示装置が脚光を浴びており、専用の立体映像コンテンツも多く製作されている。一方、家庭用ビデオカメラにおいても立体映像撮像機能を有するものが発表されており立体映像は広く一般に浸透しつつある。
表示画面上に表示した映像を観察者に立体映像として認識させるためには、左目用映像と右目用映像とが所定の位置関係を有する必要があるため、立体映像を撮像する場合には撮像した立体映像を観察する時の観察条件を考慮して左目用映像と右目用映像とが最適な位置関係になるように撮像装置の設定を行うことが必要になる。この設定には多くの条件項目を適切に組み合わせることになるため、家庭用立体ビデオカメラでは、例えば撮像した立体映像を観察する時の観察条件を入力するだけで、適切な撮像条件が自動的に設定される構成となることが望ましい。先行技術文献１には、撮像した立体映像を観察する時の画面サイズと観察距離を入力することで、撮像するカメラの姿勢角と画角を自動設定する立体カメラについて記載されている。
【０００３】
先行技術文献１に記載されたカメラの場合、設定された条件によって撮像画角が自動的に設定、つまり固定されることになるが、実際の撮像では設定された条件を変えてでも画角を変えた撮像を行ないたい場合がある。
【先行技術文献】
【特許文献】
【０００４】
【特許文献１】特開平１１−１７８０１２号公報
【発明の概要】
【発明が解決しようとする課題】
【０００５】
表示装置から観察者の目までの距離（以後、観察距離と称する）や表示装置のサイズや観察者の左目と右目の間隔（以後、眼間距離と称する）などの予め想定した観察条件に基づいて適切に設定した撮像条件とは異なる条件、例えば撮像画角を変更して撮像した映像を観察する場合、立体映像を最適な状態で観察することのできる観察距離が変わるため、これに合わせて観察者が観察距離を変えることができれば、より臨場感のある立体映像を観察することができる。しかし観察者は、今観察している位置での観察距離とは異なる距離が最適な観察距離である立体映像を見た場合、立体映像の不自然な遠近感を感じたとしても、どの距離で観察すべきかを知ることができない。
本発明では立体映像観察者に対し、撮像条件に応じた最適な観察距離を知覚させる立体映像撮像装置および立体映像再生装置を提供することを目的とする。
【課題を解決するための手段】
【０００６】
本発明に係る立体映像撮像装置は上述の課題を解決するための手段として、立体映像を構成する左目用映像信号と右目用映像信号を生成する複数の撮像部（１０２Ｌ、１０２Ｒ）と、前記複数の撮像部の撮像画角を制御する撮像画角制御部（１２２）と、前記左目用映像信号と前記右目用映像信号それぞれに合成するためのＯＳＤ信号を生成するＯＳＤ生成部（１４６）と、前記撮像部から出力される前記左目用映像信号と前記右目用映像信号それぞれに前記ＯＳＤ信号を所定時間合成するＯＳＤ合成部（１０６）と、前記ＯＳＤ合成部から出力された、前記ＯＳＤ信号が合成された左目用映像信号と右目用映像信号を合成し、立体映像データとして出力する信号処理部（１０８）と、表示画面サイズ情報とＯＳＤ表示距離情報と眼間距離情報を記憶する情報記憶部（１３０）と、撮像開始毎の撮像画角情報と、前記表示画面サイズ情報と、前記ＯＳＤ表示距離情報と前記眼間距離情報に基づいて、前記ＯＳＤ合成部にて合成される前記ＯＳＤ信号に従って表示されるＯＳＤの、前記左目用映像信号と前記右目用映像信号に従って表示される左目用映像上および右目用映像上のそれぞれの位置を設定するＯＳＤ視差設定部（１４４）とを備え、前記ＯＳＤ合成部は前記ＯＳＤ視差設定部で設定された位置に前記ＯＳＤを合成するように前記左目用映像信号及び前期右目用信号のそれぞれに前記ＯＳＤ信号を合成することを特徴とする。
【０００７】
また本発明に係る立体映像撮像装置は上述の課題を解決するための手段として、前記撮像部が生成する前記左目用映像信号と前記右目用映像信号を、それぞれ所定時間格納しながら順次出力する映像記憶部（１０４）と、前記ＯＳＤ合成部が前記ＯＳＤの合成を行なうタイミングを設定するタイミング設定部（１２３）とを更に備え、前記ＯＳＤ合成部は、前記映像記憶部から出力される前記左目用映像信号と前記右目用映像信号それぞれに前記ＯＳＤ信号を所定時間合成し、前記ＯＳＤ視差設定部は、撮像開始毎に撮像画角が互いに異なる２つの連続した映像の内、時間的に後となる映像の前記撮像画角情報と、前記表示画面サイズ情報と、前記ＯＳＤ表示距離情報と前記眼間距離情報に基づいて前記ＯＳＤの位置を設定するすることを特徴とする。
【０００８】
また本発明に係る立体映像撮像装置は上述の課題を解決するための手段として、前記ＯＳＤ視差設定部は、観察視野角度が前記撮像画角と同じ角度となる観察距離で観察したときに、立体映像として知覚するＯＳＤの見かけ上の位置の観察者の目からの距離が前記ＯＳＤ表示距離情報に関連した距離となるように前記ＯＳＤの位置を設定することを特徴とする。
【０００９】
また本発明に係る立体映像撮像装置は上述の課題を解決するための手段として、前記情報記憶部は撮像開始毎にその直前の撮像時の撮像画角情報を記憶し、前記ＯＳＤ生成部は、２つの連続した映像の撮像画角を比較し、画角差が所定の値に対して大きい場合にＯＳＤを生成することを特徴とする。
【００１０】
また本発明に係る立体映像撮像装置は上述の課題を解決するための手段として、前記ＯＳＤ生成部は、撮像画角が互いに異なる２つの連続した映像の撮像画角を比較し、時間的に前となる映像の撮像画角が大きい場合と時間的に後となる映像の撮像画角が大きい場合とで生成するＯＳＤを切替えることを特徴とする。
【００１１】
また本発明に係る立体映像撮像装置は上述の課題を解決するための手段として、前記タイミング設定部は、前記立体映像撮像装置の録画開始操作を基準としてＯＳＤの合成タイミングを設定することを特徴とする。
【００１２】
また本発明に係る立体映像撮像装置は上述の課題を解決するための手段として、前記タイミング設定部は前記ＯＳＤの合成タイミングを、撮像画角が互いに異なる２つの連続した映像の切替わり時に対し、所定の第１の時間前から所定の第２の時間経過後までと設定し、前記所定の第１の時間および前記所定の第２の時間はそれぞれ０以上であって、前記所定の第１の時間と前記所定の第２の時間の合計は０ではないことを特徴とする。
【００１３】
また本発明に係る立体映像撮像装置は上述の課題を解決するための手段として、前記ＯＳＤ生成部は前記表示画面サイズ情報と前記ＯＳＤ表示距離情報の内、少なくとも一方に関連する情報を表わすＯＳＤを生成することを特徴とする。
【００１４】
また本発明に係る立体映像撮像装置は上述の課題を解決するための手段として、前記表示画面サイズ情報と前記ＯＳＤ表示距離情報を入力する操作部（１１８）を更に備えることを特徴とする。
【００１５】
また本発明に係る立体映像再生装置は上述の課題を解決するための手段として、左目用映像信号と右目用映像信号から構成され、少なくとも撮像画角情報を属性データとして合成した立体映像信号を入力する信号入力部と（１５０）、前記信号入力部に入力された前記立体映像信号の前記属性データを解析する属性データ解析部（３０６）と、前記左目用映像信号と前記右目用映像信号それぞれに合成するためのＯＳＤ信号を生成するＯＳＤ生成部（１４６）と、前記左目用映像信号と前記右目用映像信号それぞれに前記ＯＳＤ信号を所定時間合成するＯＳＤ合成部（１０６）と、前記ＯＳＤ合成部から出力された、前記ＯＳＤ信号が合成された左目用映像信号と右目用映像信号を合成し、立体映像データとして出力する信号処理部（１０８）と、前記属性データ解析部が出力する前記撮像画角情報と、表示画面サイズ情報とＯＳＤ表示距離情報と眼間距離情報を記憶する情報記憶部（１３０）と、前記撮像画角情報と、前記表示画面サイズ情報と、前記ＯＳＤ表示距離情報と前記眼間距離情報とに基づいて、前記ＯＳＤ合成部にて合成される前記ＯＳＤ信号に従って表示されるＯＳＤの、前記左目用映像信号と前記右目用映像信号に従って表示される左目用映像上および右目用映像上のそれぞれの位置を設定する設定するＯＳＤ視差設定部を備え、前記ＯＳＤ合成部は前記ＯＳＤ視差設定部で設定された位置に前記ＯＳＤを合成するように前記左目用映像信号及び前記右目様映像信号のそれぞれに前記ＯＳＤ信号を合成することを特徴とする。
【発明の効果】
【００１６】
本発明の立体映像撮像装置および立体映像再生装置によれば、立体映像観察者に対し、撮像条件に応じた最適な観察距離を知覚させることができる。
【図面の簡単な説明】
【００１７】
【図１】実施形態１における立体映像撮像装置の構成を示すブロック図である。
【図２】ＯＳＤ生成の流れを説明するためのフローチャートである。
【図３】設定入力画面例である。
【図４】ＯＳＤのずれ量の設定を説明するための図である。
【図５】ＯＳＤ表示の様子を説明するための図である。
【図６】ＯＳＤ立体映像として知覚するＯＳＤの見かけ上の位置と観察者との関係を説明するための図である。
【図７】実施形態２における立体映像撮像装置の構成を示すブロック図である。
【図８】実施形態２における立体映像再生装置の構成を示すブロック図である。
【図９】実施形態３における立体映像撮像装置の構成を示すブロック図である。
【図１０】実施形態４における立体映像撮像装置の構成を示すブロック図である。
【図１１】実施形態４における立体映像再生装置の構成を示すブロック図である。
【発明を実施するための形態】
【００１８】
以下、本発明の実施形態について、図面を参照して説明する。
【００１９】
（実施形態１）
実施形態１における立体映像撮像装置の構成を図１に示す。
立体映像撮像装置１００は、左撮像部１０２Ｌ、右撮像部１０２Ｒ、フレームバッファ１０４、ＯＳＤ合成部１０６、信号処理部１０８、記録部１１０、出力部１１２、表示部１１４、画角切換スイッチ１１６、操作部１１８、中央制御部１２０、情報記憶部１３０、ＯＳＤ制御部１４０で構成される。
中央制御部１２０は、操作制御部１２１、カメラ制御部１２２、タイミング設定部１２３、記録再生制御部１２４、表示制御部１２５で構成される。
ＯＳＤ制御部１４０は、ＯＳＤサイズ設定部１４２、ＯＳＤ視差設定部１４４、ＯＳＤ生成部１４６で構成される。
【００２０】
左撮像部１０２Ｌと右撮像部１０２Ｒは、それぞれ左目用映像信号と右目用映像信号の生成を行なう。左撮像部１０２Ｌは生成した左目用映像信号をフレームバッファ１０４に送る。同様に右撮像部１０２Ｒは生成した右目用映像信号をフレームバッファ１０４に送る。フレームバッファ１０４は映像信号を一時的に記憶するバッファメモリであり、受け取った映像信号の読み込みとＯＳＤ合成部１０６への送出を先入れ先出し的に順次行う。フレームバッファ１０４で映像信号を記憶する時間は、後述する予告表示時間よりも長い時間とする。フレームバッファ１０４で映像信号を記憶する時間は、予告表示時間の設定を元に中央制御部で制御する構成としても良いし、予告表示時間の最大設定値よりも長い固定値とする構成としても良い。
【００２１】
ＯＳＤ合成部１０６は、ＯＳＤ制御部１４０の指示するタイミングに従って左目用映像信号と右目用映像信号にそれぞれ、ＯＳＤ制御部１４０が出力するＯＳＤ信号を合成し、信号処理部１０８に送る。信号処理部１０８は、ＯＳＤ信号がそれぞれに合成された左目用映像信号と右目用映像信号を受け取り、それらを合成して、サイドバイサイドやトップアンドボトム等の１枚のフレームやフィールド内に左目用映像と右目用映像の面積を圧縮して組み合わせる方式や、左目用映像と右目用映像を走査線ごとに交互に組合せるラインシーケンシャル方式や、フレームやフィールドごとに左目用映像と右目用映像を時間軸で順番に組み合わせるフレームシーケンシャル方式、フィールドシーケンシャル方式等の他、表示装置に対応した各種方式に変換して立体映像信号を生成し、生成した立体映像信号を記録部１１０、出力部１１２、中央制御部１２０に送る。
【００２２】
記録部１１０はＨＤＤ、固体メモリーや取出し可能なディスク記録媒体や磁気テープ等とそれらに映像データを記録再生するしくみ等で構成され、記録再生制御部１２３から記録の指示を受けると、信号処理部１０８から受け取った立体映像信号を記録し、再生の指示を受けると、記録した立体映像信号を再生して出力部１１２に送出する。出力部１１２は立体映像信号を出力する。立体映像信号は表示装置２００に入力され立体映像として表示される。表示装置２００は立体映像を表示できる表示装置であって、それは３Ｄテレビや３Ｄモニター等である。
【００２３】
表示部１１４は映像モニター画面であり、信号処理部１０８から受け取った立体映像信号に基づき、撮影中の映像や再生中の映像を表示する。また、表示部１１４は、立体映像撮像装置の状態表示モニター画面、操作時のメニュー表示画面としても機能する。表示部１１４は裸眼立体表示モニターでも良く、立体表示機能を持たないものでも良い。表示部１１４は立体映像表示機能を持たない場合、左目用映像または右目用映像のみの表示や左目用映像または右目用映像により合成した二次元映像を表示する。画角切換スイッチ１１６は撮像画角を切換えるためのスイッチである。画角切換スイッチ１１６は画角設定情報を中央制御部１２０に送る。操作部１１８は押しボタン式スイッチや十字キー、タッチセンサ等で構成され、撮像者による操作入力および後述する撮像条件設定入力を受け付け、受け付けた情報を操作制御部１２１に送る。
【００２４】
操作制御部１２１は操作部１１８から受け取った操作入力情報を中央制御部内の各部に伝達する。カメラ制御部１２２は、左撮像部１０２Ｌと右撮像部１０２Ｒのそれぞれについて、画角、フォーカス、絞り等の調整を行う。タイミング設定部１２３は後述する手順で、ＯＳＤを生成するタイミングを設定する。記録再生制御部１２４は操作部１１８に入力された操作入力情報を元に、立体映像撮像装置１００のモード制御を行う。
【００２５】
表示制御部１２５は立体映像撮像装置の状態や操作メニューを示す映像信号を生成して信号処理部１０８から受け取った立体映像信号や二次元映像信号と合成し、もしくは生成した映像信号のみ、または受け取った立体映像信号や二次元映像信号のみを切換えて表示部１１４に出力する。表示部１１４が立体映像表示機能を持つ場合、表示制御部１２５は立体映像撮像装置の状態や操作メニューを示す映像信号を立体表示対応の映像信号として生成しても良い。
情報記憶部１３０は立体映像撮像装置の設定内容を記憶するメモリで、不揮発性メモリで構成され、工場出荷時の初期設定値を記憶するとともに、操作部１１８から入力される立体映像立体映像撮像装置１００の設定値を記憶する。
【００２６】
ＯＳＤサイズ設定部１４２はＯＳＤサイズ情報と表示装置画面サイズ情報を制御部１２０から受け取り、後述する手順でＯＳＤサイズを設定する。ＯＳＤ視差設定部１４４は、撮像画角情報と表示装置の画面サイズ情報とＯＳＤ表示距離情報と眼間距離情報を制御部１２０から受け取り、後述する手順でＯＳＤの表示画面上のずれ量を設定し、このずれ量となるように左目用映像と右目用映像のそれぞれに合成するＯＳＤの表示画面上の位置を設定する。尚、ＯＳＤを観察する観察者に視差を生じさせるために左目用映像における表示画面上のＯＳＤの表示位置と、右目用映像における表示装置上のＯＳＤの表示位置が左右に異なる位置であるときに、ＯＳＤは表示画面上から飛び出し、もしくは奥まった位置にあるがごとく観察者は知覚する。この左右に異なる位置の間隔をＯＳＤの表示画面上のずれ量と称する。ＯＳＤ生成部１４６は、ＯＳＤ表示内容情報を制御部１２０から受け取り、ＯＳＤサイズ設定部１４６からＯＳＤサイズ情報を受け取り、ＯＳＤ視差設定部１４４からＯＳＤの表示画面上のずれ量の情報を受け取り、左目用映像信号に合成するＯＳＤ信号と右目用映像信号に合成するＯＳＤ信号をそれぞれ後述する手順で生成する。ＯＳＤ生成部１４６は生成したそれぞれのＯＳＤ信号をＯＳＤ合成部１０６に送る。
【００２７】
更に図２と図３を用いて、ＯＳＤの生成方法について詳しく説明する。図２はＯＳＤ生成の流れを説明するためのフローチャートである。図３は各種設定を行うための設定入力画面例である。
ステップＳ１で立体映像撮像装置１００の電源が投入されると、立体映像撮像装置１００は待機状態となる。ステップＳ２でユーザの操作に従い、各種設定が行われる。
【００２８】
図３を用いて設定の内容を説明する。図３（ａ）のａは表示部１１４であり、設定入力のためのメニュー表示をしている状態を表わしている。ｂはタッチセンサであり、ユーザが触れた指をスライドさせることでメニュー内の選択項目が切換わる。ｃは押しボタンスイッチであり、目的とする項目を選択した状態でスイッチｃを押すことで選択内容が決定される。ユーザーはタッチセンサｂで項目を選択し、スイッチｃを押して決定するという作業を繰り返すことで必要な設定入力を行う。タッチセンサｂとスイッチｃは操作部１１８の一部である。設定メニューは設定メニュー１と設定メニュー２で構成され、図３（ａ）は設定メニュー１を表示した例を、図３（ｂ）は設定メニュー２を表示した例を示す。図３（ａ）と（ｂ）で共通する部分には同じ記号を付与する。
【００２９】
図３（ａ）のｄ１前画面とｄ２次画面はメニュー画面の切替えを行う項目で、ｄ１前画面またはｄ２次画面を選択して決定するとメニュー画面のページが切替わる。また、ｄ３終了はメニュー画面を終了する項目で、ｄ３終了を選択し決定するとメニュー表示を終了する。
ｅ１設定はビデオカメラ、とｆ１設定は再生機、は立体映像撮像装置１００のモードを切換える項目である。ｅ１設定はビデオカメラを選択して決定すると、立体映像撮像装置１００は撮像モードとなり、ｅ２枠内の色が白から黒に変わり、撮像モードであることを示す。この時、ｆ２枠内の色は白となる。図３（ａ）は撮像モードとなっている状態を示し、この状態で、図示しない記録開始ボタンを押すと撮像が開始される。ｆ１設定は再生機、を選択して決定すると立体映像撮像装置１００は再生モードとなり、ｆ２枠内の色が白から黒に変わる。この時ｅ２枠内の色は白となる。この状態で図示しない再生開始ボタンを押すと、撮像済み映像の再生が開始される。
【００３０】
ｇ１表示画面サイズは、撮像した立体映像を観察する表示装置の画面サイズを設定する項目である。ｂスクロールバーでｇ１表示画面サイズを選択してｃエンターボタンを押すと画面サイズ選択状態になり、この状態でｂスクロールバーを操作することでｇ２数値選択枠内の数値が切換わる。ｇ２数値選択枠内の数値が設定したい値になった状態でｃエンターボタンを押すと設定内容が入力される。図では現在、表示画面サイズが５０インチの設定になっていることを示している。以下、選択枠を持つ項目の設定方法はｇ１表示画面サイズの設定方法と同様である。表示画面サイズの設定値はＳとして情報記憶部１３０に記憶される。
【００３１】
ｈ１観察距離（遠い）とｉ１観察距離（近い）は、撮像した立体映像を観察する観察者と表示装置との距離である観察距離の、想定する範囲を設定する項目である。撮像時には、ここで設定した範囲内の最適観察距離となる条件で撮像されるように制限される。観察距離の想定範囲を設定する目的は、例えば、撮像した映像を観察する表示装置が設置されている部屋の大きさなどの制約によって、例えば１７０ｃｍ以上離れて観察できない場合に、１７０ｃｍを超える距離が最適観察距離である条件で撮像されることが無い様に制限するためである。本実施形態では、観察者が立体映像を有効に観察できる距離範囲となるように、観察距離（遠い）を１７０ｃｍ、観察距離（近い）を８５ｃｍと設定した。
【００３２】
５０インチの表示装置を観察距離１７０ｃｍで観察すると、観察者が表示画面を観察する観察視野角度は、表示画面の対角線方向で約４１度となる。一般に人間が普段集中している視野角度は約４６度とされているので、観察距離（遠い）を１７０ｃｍとした設定は適正であると言える。また、５０インチの表示装置を観察距離８５ｃｍで観察すると観察者の観察視野角度は表示画面の対角線方向で７４度となる。一般に、視野角度が約２０度から約８０度の範囲内では、視野角度の増大と共に臨場感が増すとされているため、観察距離８５ｃｍで観察することで、臨場感あふれる立体映像の観察が可能となる。観察距離（遠い）、観察距離（近い）の各設定値は情報記憶部１３０に記憶される。
【００３３】
ｊ１ＯＳＤ表示距離は、想定する観察条件で観察者がＯＳＤ画像を立体視した時の、観察者の目と立体映像として知覚するＯＳＤの見かけ上の位置との距離を設定する項目である。本実施形態ではＯＳＤ表示距離を、観察者が手を伸ばした距離とすることを想定して５７ｃｍと設定した。ＯＳＤ表示距離Ｌａの設定値は情報記憶部１３０に記憶される。
【００３４】
図３（ｂ）で、ｋ１ＯＳＤ表示選択は、ＯＳＤ表示内容を選択する項目である。本実施形態では、連続する場面の撮像時の画角が大きく変化した場合にＯＳＤを表示する。この時、前の場面に比較した後の場面の撮像時の画角が狭くなる場合と広くなる場合で表示内容を切換える。例えば後の場面の撮像時の画角が前の場面に比較して広くなる場合は「近くで見てね！」と表示し、狭くなる場合は「離れてみてね!」と表示する。ｋ１ＯＳＤ表示選択では、この表示の組み合わせを数種類用意されている中から選択する。例えば、表示画面サイズ情報やＯＳＤ表示位置情報も含めた表示形態を選択できる構成としても良い。
【００３５】
表示画面サイズ設定を表示することで、実際の表示画面サイズと合っているか否か確認することができる。民生用ビデオカメラで撮像された映像コンテンツは、撮像後数十年の経過の後にもその再生映像を観察するものであって、撮像時に設定した表示画面サイズとは異なるサイズの表示装置で再生されることが考えられる。この場合でも、撮像時に設定した表示画面サイズとＯＳＤ表示距離が判ることで、最適観察距離における観察者が立体映像として知覚するＯＳＤの観察者からの距離を、再生する表示画面サイズに応じて換算することができる。また、ＯＳＤ表示距離設定を表示することで、どの位置にＯＳＤを知覚する時に最適観察距離なのかを確認することができる。ＯＳＤ表示選択設定は情報記憶部１３０に記憶される。ＯＳＤ表示内容はデフォルトで１種類の組み合わせに決まっていて、変更できない構成としても良い。
【００３６】
ｍ１予告表示時間は、場面切替えの何秒前からＯＳＤを表示するかを設定する項目である。予告表示時間は最短０秒から設定でき、最長で３０秒位まで設定できれば十分である。ｎ１切替え後表示時間は、場面切替え後に何秒間ＯＳＤの表示を続けるかを設定する項目である。切替え後表示時間は、最短０秒から設定でき、最長で３０秒位まで設定できれば十分である。予告表示時間と切替え後表示時間はデフォルト値に決まっていて変更できない構成になっていても良い。予告表示時間と切替え後表示時間の設定値は情報記憶部１３０に記憶される。
【００３７】
ｐ１ＯＳＤサイズは、ＯＳＤの表示サイズを設定する項目である。ＯＳＤの表示サイズは後述するように表示画面サイズによって適切なサイズに自動設定されるが、自動設定されたサイズに対し大きめにしたり小さめにしたい場合に、ある程度のサイズ変更ができる。サイズ設定は例えば大，中，小の３通りの選択ができ、中を選択すると自動設定されたサイズとなり、大または小を選択すると自動設定されたサイズに対して大きめまたは小さめのサイズになる。ＯＳＤ表示サイズ設定は情報記憶部１３０に記憶される。
【００３８】
ｒ１眼間距離は、観察者の左目と右目の間の距離を設定する項目である。大人の眼間距離は約６．０ｃｍ、子供の場合は約５．０ｃｍであるため、主に観察する観察者の眼間距離に合わせることが望ましい。また、この値は固定値とする設計としてもよい。眼間距離Ｗの設定値は情報記憶部１３０に記憶される。
【００３９】
また、ユーザーは図示しない画角切換スイッチ１１６を操作して撮像画角の設定を行う。画角切換えスイッチ１１６は例えばスライドスイッチで、ある方向にスライドさせると画角が広くなる方向に撮像画角が変化し、逆の方向にスライドさせると画角が狭くなる方向に撮像画角が変化する様に中央制御部１２０が左撮像部１０２Ｌと右撮像部１０２Ｒを制御する構成になっている。中央制御部は画角切換スイッチ１１６の設定または左撮像部１０２Ｌと右撮像部１０２Ｒの撮像画角制御によって撮像画角設定値を得る。
【００４０】
撮像画角切換え可能な範囲は、ｇ１テレビ画面サイズの設定と、ｈ１観察距離（遠い）およびｉ１観察距離（近い）で設定した観察距離範囲によって制限される。具体的には、ｇ１テレビ画面サイズで設定した画面サイズを、ｈ１観察距離（遠い）で設定した観察距離で観察した場合の観察画角の値と同じ値の撮像画角が最も狭い撮像画角として制限される。また、ｇ１テレビ画面サイズで設定した画面サイズを、ｉ１観察距離（近い）で設定した観察距離で観察した場合の観察画角の値と同じ値の撮像画角が最も広い撮像画角として制限される。撮像画角設定値はαとして情報記憶部１３０に記憶される。
【００４１】
以上のようにユーザーにより、表示画面サイズ（Ｓ）、観察距離（遠い）、観察距離（近い）、ＯＳＤ表示距離（Ｌａ）、ＯＳＤ表示内容、予告表示時間，切替え後表示時間、ＯＳＤサイズ、撮像画角（α）、眼間距離（Ｗ）の設定が行われ、情報記憶部１３０のデータが更新される。この際、撮像画角設定値については前回撮像時の撮像画角の設定値をα０として残す。
【００４２】
図２に戻って説明する。
ステップＳ３で操作部１１８が、撮像開始のボタンが押されたと判断するとステップＳ４に進む。ステップＳ４では前回撮像時の撮像画角α０と今回の撮像画角αを比較し、その差が所定の値に対して大きいか小さいかを判定する。所定の差以下の場合（ステップＳ４／ｎｏ）、ステップＳ１４に進みＯＳＤを生成せずにこのフローを終了する。所定の値よりも大きい場合（ステップＳ４／ｙｅｓ）、ステップＳ５に進む。
ステップＳ５では前回撮像時の撮像画角α０と今回の撮像画角αの大小関係を判定する。今回の撮像画角が前回の撮像画角に対し大きくなったと判定した場合（Ｓ５／ｙｅｓ）ステップＳ６に進み、観察者を近づける内容のＯＳＤが選択される。小さくなったと判定した場合（Ｓ５／ｎｏ）ステップＳ７に進み、観察者を遠ざける内容のＯＳＤが選択される。
【００４３】
次にステップＳ８に進む。ステップＳ８ではＯＳＤのサイズ設定を行う。ＯＳＤサイズは基本的に、設定した表示画面サイズによって自動的に設定される。具体的には、表示画面サイズが大きい場合に画像全体に対するＯＳＤの文字サイズの比率を小さくし、表示画面サイズが小さい場合に画像全体に対するＯＳＤの文字サイズの比率を大きくする。例えば、５０インチの場合にＯＳＤの一つの文字の横幅が２ｃｍだったとすると、同じ画像を画面サイズ１００インチの表示画面で表示するとＯＳＤの一つの文字の横幅は４ｃｍとなり大きすぎるので、例えば３ｃｍとなるように縮小し、同じ画像を画面サイズ２５インチの表示画面で表示するとＯＳＤの一つの文字の横幅は１ｃｍとなり小さすぎるので、例えば１．５ｃｍとなるように拡大設定する。
【００４４】
更に、設定入力の説明で記載したように、ＯＳＤサイズの切替えを行うことができる。ＯＳＤサイズを中に設定するとＯＳＤサイズは上で説明したように設定した表示画面サイズによって自動的に標準に設定される。ＯＳＤサイズを大に設定すると標準サイズに対し少し拡大し、小に設定すると標準サイズに対し縮小される。たとえば中を選択したときに５０インチの表示画面でＯＳＤの一つの文字サイズの横幅が２ｃｍだとすると、大を選択すると３ｃｍ、小を選択すると１．５ｃｍとなるように設定される。
【００４５】
ステップＳ９でＯＳＤ視差設定部１４４は情報記憶部１３０から、表示画面サイズ（Ｓ），ＯＳＤ表示距離（Ｌａ），撮像画角（α）、眼間距離（Ｗ）の各設定値を読み出し、これらの値から左目用映像に合成するＯＳＤと右目用映像に合成するＯＳＤの表示画面上のずれ量を算出し設定する。図４を使って、ＯＳＤの視差設定ステップを説明する。図４（ａ）は撮像部の撮像画角をα度と設定して撮像している様子を示す。図では左撮像部の撮像画角のみ図示しているが、右撮像部の撮像画角も同様にα度である。図４（ｂ）は、図４（ａ）で撮像した映像を５０インチの表示装置に表示して、観察視野角度がα度になる位置で観察している様子を示す。図では左目の観察視野角度のみ図示しているが、右目の観察視野角度も同様にα度である。また説明を簡易とするために図４（ａ）の左撮像部と右撮像部の間の距離と図４（ｂ）の観察者の左目と右目の間の距離はここではいずれもＷとするが、左撮像部と右撮像部の間の距離はＷと異なっても構わない。
【００４６】
表示画面サイズをＳ、観察視野角度をαとすると、観察距離Ｌｄは式１で求めることができる。
Ｌｄ＝Ｓ／（２×ｔａｎ（α／２））・・・式１
本実施形態では、撮像時の画角と観察視野角度が同じ画角となる位置で観察した時に、立体映像として知覚するＯＳＤの見かけ上の位置が観察者に対してＯＳＤ表示距離（Ｌａ）だけ表示装置側になるようなＯＳＤの表示画面上のずれ量を設定する。図４（ｃ）はＯＳＤ表示距離がＬａになるようにＯＳＤの表示画面上のずれ量を設定した様子を示す。この時のＯＳＤの表示画面上のずれ量ｂは式２で求めることができる。
ｂ＝Ｗ×（Ｓ／Ｌａ／（ｔａｎ（α／２））／２−１）・・・式２
また、ＯＳＤの表示画面上のずれ量の情報を元に左目用映像と右目用映像に表示するそれぞれのＯＳＤについて、表示画面上の位置を設定する。
ステップＳ１０でＯＳＤ生成部１４６は、ここまでのステップで決定したＯＳＤ表示内容情報，ＯＳＤサイズ情報，ＯＳＤの表示画面上の位置情報を元に、左目用映像信号と右目用映像信号に合成するＯＳＤ信号をそれぞれ生成して、ＯＳＤ合成部１０６に出力する。
【００４７】
ステップＳ１１でタイミング設定部１２３は、場面切替え前の映像信号に対するＯＳＤ合成タイミングを制御する。具体的にはタイミング設定部１２３は、情報記憶部１３０から予告表示時間の設定値を読み出し、フレームバッファ１０４Ｌ／１０４Ｒに記憶されている前回撮像した映像の終了時点から予告表示時間の設定値だけさかのぼったタイミング以降の画像信号にＯＳＤ画像信号を合成するためのタイミング信号をＯＳＤ制御部１４０に出力し、ＯＳＤ制御部１４０はＯＳＤ合成部１０６を制御する。
【００４８】
ステップＳ１２でタイミング設定部１２３は、場面切換え後の映像信号に対するＯＳＤ合成タイミングを制御する。具体的には、タイミング設定部１２３は情報記憶部１３０から切換え後表示時間の設定値を読み出し、録画開始から切換え後表示時間の設定値に相当する時間、画像信号にＯＳＤ画像信号を合成するためのタイミング信号をＯＳＤ制御部１４０に出力し、ＯＳＤ制御部１４０はＯＳＤ合成部１０６を制御する。撮像開始から切換え後表示時間の設定値だけ経過するとＯＳＤの合成は終わり、ステップＳ１３に進みこのフローは終了する。
【００４９】
図５と図６を使って、実際のＯＳＤ表示例を説明する。
本実施形態では、撮像画角が異なる場面への切換えのタイミングで、適正観察距離を観察者に知覚させるためのＯＳＤ表示を行う。
図５は場面切換わり時にＯＳＤを表示する例を示す図である。図６は、図５で示すＯＳＤと観察者との位置関係を説明するための図である。図５の（ａ）〜（ｇ）は連続した映像であり、（ａ）〜（ｂ）を場面１、（ｃ）〜（ｅ）を場面２、（ｆ）〜（ｇ）を場面３とし、場面１と場面３の撮像画角を４１度、場面２の撮像画角を７４度とする。
尚、２つの連続した映像と表現する場合は、場面１と場面２の様に撮影画角が異なる場面の映像の連続を示す。
【００５０】
図６（ａ）は図５（ａ）の映像を、撮像画角と観察視野角度が等しくなる観察距離にて観察している様子を示す。このとき観察視野角度を４１度、表示装置を５０インチとすると式１より、観察距離は約１７０ｃｍとなる。
場面２は場面１に対して撮像画角が広いので、場面２から場面１への切替わりのタイミングで、観察者を表示装置側に近づけるように誘導するＯＳＤを表示する。図５（ｂ）〜（ｃ）は場面切換えのタイミングでＯＳＤを表示している様子を示す。撮像画角は広くなる方向に切替わったので、ＯＳＤ表示は「近づいて見てね！」と表示されている。この時、図６（ｂ）に示すように、立体映像として知覚するＯＳＤの見かけ上の位置は観察者から１１４ｃｍの位置になり、観察者は立体映像として知覚するＯＳＤの見かけ上の位置が設定した距離よりも遠いと知覚する。
【００５１】
観察者がＯＳＤ表示内容に従って表示画面に近づき、立体映像として知覚するＯＳＤの見かけ上の位置が観察者の目から５７ｃｍの距離になるように移動した状態を図６（ｃ）に示す。この時の観察距離は８５ｃｍとなり、観察視野角度は撮像画角と同じ７４度である。場面切換え後、所定の時間経過するとＯＳＤ表示は消え、図５（ｄ）に示す映像となる。
場面３は場面２に対して撮像画角が狭いので、場面２から場面３への切替わりのタイミングで、観察者を表示装置から遠ざけるように誘導するＯＳＤを表示する。図５（ｅ）〜（ｆ）は場面切換えのタイミングでＯＳＤを表示している様子を示す。撮像画角は狭くなる方向に切替わったので、ＯＳＤ表示は「離れてみてね！」と表示されている。この時、図６（ｄ）に示すように、立体映像として知覚するＯＳＤの見かけ上の位置は観察者から２８．５ｃｍの位置になり、観察者は立体映像として知覚するＯＳＤの見かけ上の位置が設定した距離よりも近いと知覚する。
【００５２】
観察者がＯＳＤ表示内容に従って表示画面から離れ、立体映像として知覚するＯＳＤの見かけ上の位置が観察者から５７ｃｍの距離になるように移動した状態を図６（ｅ）に示す。この時の観察距離は１７０ｃｍとなり、観察視野角度は撮像画角と同じ４１度である。場面切換え後、所定の時間経過するとＯＳＤ表示は消え、図５（ｇ）に示す映像となる。ＯＳＤの表示タイミングは設定可能であり、場面切替わり前だけあるいは切替わり後だけとしても良い。
【００５３】
以上のように実施形態１の立体映像撮像装置によれば、撮像画角に対応した適性観察距離で観察するように観察者を誘導するためのＯＳＤを表示するので、観察者は場面ごとに適正な観察距離を認識することができ、適正観察距離で観察することで臨場感のある立体映像を観察することができる。また、フレームバッファによって映像信号を遅延させてからＯＳＤを合成することで、場面切替え前にも場面切替え前後の撮像条件を反映したＯＳＤを合成することができる。
【００５４】
（実施形態２）
実施形態２における立体映像撮像装置の構成を図７に、立体映像再生装置の構成を図８に示す。図７および図８中で、図１と共通または類似する機能をもつ部分には図１と共通の符号を付け、説明を省略する。実施形態１の立体映像撮像装置１００では撮像した映像信号にＯＳＤ信号を直接合成したが、実施形態２の立体映像撮像装置３００では撮像時の設定情報を含む属性データを映像信号に合成して記録または伝送し、映像を表示装置に表示するときに属性データに基づいてＯＳＤを生成して合成する。
実施形態２の立体映像撮像装置３００では、実施形態１の立体映像撮像装置１００に対し、属性データ生成部３０２、属性データ合成部３０４、属性データ解析部３０６、データ出力部３０８が追加されている。また、実施形態１の立体映像撮像装置１００ではＯＳＤ生成部の後に位置していた記録部１１０が実施形態２の立体映像撮像装置３００ではＯＳＤ合成部１０６より手前に位置している。
【００５５】
左撮像部１０２Ｌと右撮像部１０２Ｒは、それぞれ左目用映像信号と右目用映像信号の生成を行なう。左撮像部１０２Ｌは生成した左目用映像信号をフレームバッファ１０４に送る。同様に右撮像部１０２Ｒは生成した右目用映像信号をフレームバッファ１０４に送る。フレームバッファ１０４は映像信号を一時的に記憶するバッファメモリであり、受け取った映像信号の読み込みとＯＳＤ合成部１０６への送出を先入れ先出し的に順次行う。フレームバッファ１０４で映像信号を記憶する時間は、予告表示時間の設定を元に中央制御部で制御する構成としても良いし、予告表示時間の最大設定値よりも長い固定値とする構成としても良い。
【００５６】
属性データ生成部３０２は、撮像前にユーザによって設定更新された情報記憶部１３０の情報を元に属性データを生成し、属性データ合成部３０４に送る。属性データは、目的とするＯＳＤを生成するために必要な情報で構成される。本実施形態では、少なくとも場面切替前の撮像画角情報（α０）と場面切替後の撮像画角情報（α）のそれぞれの情報を含めてコード化したものを属性データとする。
【００５７】
属性データ合成部３０４は、フレームバッファ１０４から受け取った左目用映像信号と右目用映像信号に属性データ生成部３０２から受け取った属性データを合成して記録部１１０に送る。属性データを合成するタイミングは、ＯＳＤの予告表示時間設定値と切替後表示時間設定値に従ってタイミング設定部１２３により制御される。具体的にはタイミング設定部１２３は、情報記憶部１３０から予告表示時間の設定値と切替え後表示時間の設定値を読み出し、フレームバッファ１０４から受け取った映像信号の、場面切替え時点から予告表示時間の設定値だけさかのぼったタイミングから場面切替え後、切替え後表示時間の設定値まで属性データを合成するように属性データ合成部３０４を制御する。属性データ合成済みの映像信号は記録部１１０に送られる。
【００５８】
記録部１１０は記録再生制御部１２４から記録の指示を受けると、受け取った信号を記録し、再生の指示を受けると記録してある信号を再生して属性データ解析部３０６およびデータ出力部３０８に送る。属性データ解析部３０６は受け取った信号に合成されている属性データを解析して解析結果を中央制御部１２０に送り、解析の終わった左目用映像信号と右目用映像信号をＯＳＤ合成部１０６に送る。
【００５９】
中央制御部１２０は属性データ解析部３０６から受け取った情報を元にＯＳＤ制御部１４０にＯＳＤの生成を指示する。ＯＳＤ生成方法については基本的に実施形態１と同様であるが、ＯＳＤ合成タイミングについては属性データが合成されているタイミングとなる。生成したＯＳＤ信号はＯＳＤ合成部１０６に送られる。ＯＳＤ合成部１０６は属性データ解析部３０６から受け取った左目用映像信号と右目用映像信号にそれぞれＯＳＤ信号を合成して信号処理部１０８に送る。信号処理部１０８は受け取ったＯＳＤ合成済み左目用映像信号と右目用映像信号を合成して、立体映像信号を生成して出力部１１２に送る。出力部１１２は、受け取った立体映像信号を表示装置に対応した方式に変換し、出力する。出力した立体映像信号は外部の表示装置２００に入力され、表示される。表示装置２００は立体映像を表示できる装置で、３Ｄテレビ等である。
【００６０】
データ出力部３０８は、記録部１１０から受け取った属性データ合成済みの映像信号を外部に出力する。出力した映像信号は立体映像再生装置４００に入力される。図８は立体映像再生装置４００の構成を示すブロック図である。立体映像再生装置４００は例えば立体映像撮像装置３００に対し撮像機能を除いたものであり、外部から入力した属性データ合成済みの立体映像信号の属性データを解析して、解析結果に基づいてＯＳＤ信号を生成し、左目用映像信号と右目用映像信号のそれぞれにＯＳＤ信号を合成して表示装置に出力する機能を持つ。具体的には、立体映像再生装置４００は立体映像撮像装置３００に対し、左撮像部１０２Ｌ、右撮像部１０２Ｒ、フレームバッファ１０４、属性データ生成部３０２、属性データ合成部３０４、データ出力部３０８、表示部１１４、画角切換えスイッチ１１６、カメラ制御部１２２、表示制御部１２５を削除し、信号入力部１５０追加した構成になっている。図８中で図７と同一または類似の動作を行う部分には共通の符号をつけ、説明を省略する
立体映像再生装置４００の信号入力部１５０は立体映像撮像装置３００から属性データ合成済みの映像信号を受け取り、記録部１１０に伝送する。記録部１１０以降の信号の流れは立体映像撮像装置３００の記録部１１０以降の信号の流れと同様である。
【００６１】
属性データには本実施例で示した情報以外に、表示画面サイズの設定値（Ｓ）、ＯＳＤ表示選択設定情報、ＯＳＤ表示距離の設定値（Ｌａ）、ＯＳＤサイズ設定、眼間距離設定値（Ｗ）の情報を含め、再生時にこれらの設定を元にＯＳＤを生成する構成としても良い。この場合も再生環境に設定値が変わるものについては再生時に設定変更できる構成とすることが望ましい。例えば、撮像した映像を記録しておいて、時間をおいて再生表示するような場合、再生する環境によって接続する表示装置の画面サイズが異なることが考えられる。このような場合、信号再生時に表示画面サイズの設定を実際に表示するサイズに書き換えることが有効である。表示画面サイズの書換えは操作部１１８によって行ない、情報記憶部１３０内の表示画面サイズを示すデータを更新し、ＯＳＤ制御部１４０は更新された設定値に基づいてＯＳＤを生成する。
また、ＯＳＤ生成に関する計算を先に行い、その計算結果を属性データとして映像信号に合成する構成としても良い。この場合、再生環境によって設定変更を行うことが困難になるが、再生回路への負担を減らす効果がある。
【００６２】
以上のように実施形態２の立体映像撮像装置３００および立体映像再生装置４００によれば、撮像画角に対応した適性観察距離で観察するように観察者を誘導するＯＳＤを表示するので、観察者は場面ごとに適正な観察距離を認識することができ、適正観察距離で観察することで臨場感のある立体映像を観察することができる。また、実施形態１の立体映像撮像装置のように映像信号に直接ＯＳＤを合成せず、撮像条件を示す属性データを撮像した映像信号に合成して、映像を表示する際に属性データに基づいてＯＳＤ信号を生成して合成するので、表示画面サイズ等の再生条件が撮影時に設定した内容と異なる場合にも最適なＯＳＤを生成することができる。また、フレームバッファによって映像信号を遅延させてから属性データを合成することで、場面切替え前にも場面切替え前後の撮像条件を反映したＯＳＤを合成することができる。
【００６３】
（実施形態３）
実施形態３における立体映像撮像装置の構成を図９に示す。図９は図７に対し、フレームバッファ１０４の位置が異なる。また、図７にあったデータ出力部３０８は、図９にはない。その他、図９中で図７と共通または類似する機能をもつ部分には図７と共通の符号を付け、説明を省略する。図７で説明した実施形態２の立体映像撮像装置３００では、撮像した映像信号をフレームバッファ１０４に一時記憶させることで所定時間遅延させた後に属性データを合成した。実施形態３の立体映像撮像装置５００では、撮像した映像信号を大きく遅延をさせることなく属性データを合成し、ＯＳＤを合成する直前で遅延させる。
【００６４】
すなわち、ＯＳＤ信号を映像信号に合成するタイミングは実施形態２では属性データが合成されているタイミングによって決めたが、本実施形態では実施形態１と同様にタイミング設定部１２３によって制御される。具体的には、タイミング設定部１２３は情報記憶部１３０から切替え後表示時間の設定値を読み出し、録画開始から切替え後表示時間の設定値に相当する時間、画像信号にＯＳＤ画像信号を合成するためのタイミング信号をＯＳＤ制御部１４０に出力し、ＯＳＤ制御部１４０はＯＳＤ合成部１０６を制御する。
【００６５】
本実施形態では、少なくとも場面切替え前の撮像画角情報（α０）、場面切替え後の撮像画角情報（α）、のそれぞれの情報を含めてコード化したものを属性データとする。また、実施形態２と同様に属性データには本実施例で示した情報以外に、表示画面サイズの設定値（Ｓ）、ＯＳＤ表示選択設定情報、ＯＳＤ表示距離の設定値（Ｌａ）、ＯＳＤサイズ設定、眼間距離設定値（Ｗ）の情報を含め、再生時にこれらの設定を元にＯＳＤを生成する構成としても良い。この場合も再生環境に設定値が変わるものについては再生時に設定変更できる構成とすることが望ましい。
【００６６】
以上のように実施形態３の立体映像撮像装置５００によれば、撮像画角に対応した適性観察距離で観察するように観察者を誘導するＯＳＤを表示するので、観察者は場面ごとに適正な観察距離を認識することができ、適正観察距離で観察することで臨場感のある立体映像を観察することができる。また、ＯＳＤを合成する前にフレームバッファ１０４によって映像信号を遅延させることで、実施形態２の立体映像撮像装置３００と同様に、場面切替え前にも場面切替え前後の撮像条件を反映したＯＳＤを合成することができる。
【００６７】
（実施形態４）
実施形態４における立体映像撮像装置の構成を図１０に、立体映像再生装置の構成を図１１に示す。実施形態３では立体映像撮像装置内にＯＳＤ生成機能を持っていたが、実施形態４では立体映像撮像部と立体映像再生部が分離した構成になっている。具体的には立体映像撮像装置６００は立体映像撮像装置５００に対し、属性データ解析部３０６、フレームバッファ１０４、ＯＳＤ合成部１０６、出力部１１２、ＯＳＤ制御部１４０、タイミング設定部１２３を削除し、データ出力部３０８を追加した構成になっている。立体映像再生装置７００は立体映像撮像装置５００に対し左撮像部１０２Ｌ、右撮像部１０２Ｒ、属性データ生成部３０２、属性データ合成部３０４、表示部１１４、画角切換スイッチ１１６、カメラ制御部１２２、表示制御部１２５を削除し、信号入力部１５０を追加した構成になっている。図１０および図１１で図９と共通または類似する機能を持つ部分には共通の符号を付け、説明を省略する。
【００６８】
図１０の立体映像撮像装置６００で記録部１１０までの信号処理は図９の立体映像撮像装置５００と同様である。立体映像撮像装置６００では記録部１１０からデータ出力部３０８に信号が伝送される。データ出力部３０８は受け取った信号を出力する。立体映像再生装置７００の信号入力部１５０は立体映像撮像装置６００から属性データ合成済みの映像信号を受け取り、受け取った信号を記録部１１０に伝送する。記録部１１０以降の信号処理は図９の記録部１１０以降と同様である。
【００６９】
以上のように実施形態４の立体映像撮像装置６００および立体映像再生装置７００によれば、撮像画角に対応した適性観察距離で観察するように観察者を誘導するＯＳＤを表示するので、観察者は場面ごとに適正な観察距離を認識することができ、適正観察距離で観察することで臨場感のある立体映像を観察することができる。また、立体映像再生装置７００では、ＯＳＤ合成直前でフレームバッファ１０４によって映像信号を遅延させることで、実施形態２と同様に、場面切替え前にも場面切替え前後の撮像条件を反映したＯＳＤを合成することができる。
【符号の説明】
【００７０】
１００、３００、５００、６００  立体映像撮像装置
４００、７００  立体映像再生装置
１０２Ｌ  左撮像部
１０２Ｒ  右撮像部
１０４  フレームバッファ
１０６  ＯＳＤ合成部
１０８  信号処理部
１１０  記録部
１１６  画角切換スイッチ
１１８  操作部
１２０  中央制御部
１２２  カメラ制御部
１２３  タイミング設定部
１３０  情報記憶部
１４０  ＯＳＤ制御部
１４４  ＯＳＤ視差設定部
１４６  ＯＳＤ生成部
１５０  信号入力部
２００  表示装置
３０２  属性データ生成部
３０４  属性データ合成部
【図１】
2012257150.tif 000003
【図２】
2012257150.tif 000004
【図３】
2012257150.tif 000005
【図４】
2012257150.tif 000006
【図５】
2012257150.tif 000007
【図６】
2012257150.tif 000008
【図７】
2012257150.tif 000009
【図８】
2012257150.tif 000010
【図９】
2012257150.tif 000011
【図１０】
2012257150.tif 000012
【図１１】
2012257150.tif 000013